(57)【要約】【課題】模擬血管が損傷しているか否かを、模擬血液を用いずに、分かりやすく示すこと。【解決手段】模擬臓器は、呈色部材を含む。呈色部材は、模擬血管の内部に配置され、模擬血管から露出した部位において、模擬血管と異なる色を呈する。【選択図】図４
2016177237.tif 000002
【特許請求の範囲】
【請求項１】
中空形状の模擬血管と、
前記模擬血管の内部に配置され、前記模擬血管の損傷部位において前記模擬血管と異なる色を呈する呈色部材と
を含む模擬臓器。
【請求項２】
前記呈色部材は、前記模擬血管と異なる色で形成されている内層部材である
請求項１に記載の模擬臓器。
【請求項３】
前記内層部材は、前記模擬血管よりも高い強度を有する
請求項２に記載の模擬臓器。
【請求項４】
前記呈色部材は、複数の粒子である
請求項１に記載の模擬臓器。
【請求項５】
前記模擬血管の内部に配置された内層部材を含み、
前記呈色部材は、前記模擬血管と前記内層部材との間に配置される
請求項１又は請求項４に記載の模擬臓器。
【請求項６】
前記呈色部材が呈する色は、蛍光色である
請求項１から請求項５までの何れか一項に記載の模擬臓器。
【請求項７】
前記呈色部材が呈する色は、前記模擬血管の損傷後に発生する呈色反応による変色後の色である
請求項１から請求項５までの何れか一項に記載の模擬臓器。
【請求項８】
前記模擬血管は、円周方向の引っ張りの残留応力が発生している
請求項１から請求項７までの何れか一項に記載の模擬臓器。
【請求項９】
前記模擬血管の周囲を埋める模擬組織を含み、
前記模擬組織は、切除能力が付与された液体によって切除される
請求項１から請求項８までの何れか一項に記載の模擬臓器。
【発明の詳細な説明】
【技術分野】
【０００１】
本発明は、模擬臓器に関する。
【背景技術】
【０００２】
切開した際に、切開創から模擬血液を漏出させることにより、手術練習に臨場感を持たせるとともに、出血した際に必要な血液の除去操作や止血操作の練習ができる模擬組織（軟部組織切開練習モデル）が知られている（特許文献１）。
【先行技術文献】
【特許文献】
【０００３】
【特許文献１】実用新案登録第３１８４６９５号公報
【発明の概要】
【発明が解決しようとする課題】
【０００４】
上記先行技術の場合、模擬血管内に模擬血液を封入する構成であるので、液体である模擬血液の取り扱いが面倒であった。本願発明は、上記先行技術に鑑み、模擬血管が損傷しているか否かを、模擬血液を用いずに分かりやすく示すことを解決課題とする。
【課題を解決するための手段】
【０００５】
本発明は、上記課題を解決するためのものであり、以下の形態として実現できる。
【０００６】
（１）本発明の一形態によれば、模擬臓器が提供される。この模擬臓器は、中空形状の模擬血管と；前記模擬血管の内部に配置され、前記模擬血管の損傷部位において前記模擬血管と異なる色を呈する呈色部材とを含む。この形態によれば、模擬血管が損傷したことを、分かりやすくユーザーに示すことができる。
【０００７】
（２）上記形態において、前記呈色部材は、前記模擬血管と異なる色で形成されていてもよい。この形態によれば、呈色部材を容易に形成できる。
【０００８】
（３）上記形態において、前記内層部材は、前記模擬血管よりも高い強度を有してもよい。この形態によれば、内層部材が、模擬血管もろとも損傷することで、呈色機能を失うことが抑制される。
【０００９】
（４）上記形態において、前記呈色部材は、複数の粒子でもよい。この形態によれば、模擬血管が損傷したことを、更に分かりやすくユーザーに示すことができる。呈色部材は、複数の粒子であるので、損傷部位から模擬血管の外側に放出されるからである。
【００１０】
（５）上記形態において、前記模擬血管の内部に配置された内層部材を含み；前記呈色部材は、前記模擬血管と前記内層部材との間に配置されてもよい。この形態によれば、模擬血管の内側を呈色部材で埋め尽くさなくてもよくなる。
【００１１】
（６）上記形態において、前記呈色部材が呈する色は、蛍光色でもよい。この形態によれば、模擬血管が損傷したことを、更に分かりやすくユーザーに示すことができる。
【００１２】
（７）上記形態において、前記呈色部材が呈する色は、前記模擬血管の損傷後に発生する呈色反応による変色後の色でもよい。この形態によれば、模擬血管が損傷したことを、更に分かりやすくユーザーに示すことができる。
【００１３】
（８）上記形態において、前記模擬血管は、円周方向の引っ張りの残留応力が発生していてもよい。この形態によれば、模擬血管が損傷したことを、更に分かりやすくユーザーに示すことができる。模擬血管に円周方向の引っ張りの残留応力が発生しているので、模擬血管に損傷が発生すると、損傷部位が自然に拡大するからである。
【００１４】
（９）上記形態において、前記模擬血管の周囲を埋める模擬組織を含み；前記模擬組織は、切除能力が付与された液体によって切除されてもよい。この形態によれば、切除能力が付与された液体を用いる模擬手術に使用できる。
【００１５】
本発明は、上記以外の種々の形態で実現できる。例えば、模擬臓器の作製方法として実現できる。
【図面の簡単な説明】
【００１６】
【図１】液体噴射装置の概略構成図。
【図２】模擬臓器を示す断面図。
【図３】模擬血管の一部が損傷した様子を示す断面図。
【図４】模擬血管の一部が損傷した様子を示す上面図。
【図５】模擬臓器の作製方法を示すフローチャート。
【図６】内層部材の材料の強度試験の様子。
【図７】上記の強度試験によって得られる実験データを示すグラフ。
【図８】図２の８−８断面図。
【図９】埋設部材を示す断面図（変形例）。
【図１０】模擬血管が損傷した様子を示す断面図。
【図１１】埋設部材を示す断面図。
【図１２】模擬血管が損傷した様子を示す断面図。
【図１３】内層部材と模擬血管とを示す断面図。
【図１４】内層部材を模擬血管の中空部に挿入する様子を示す断面図。
【図１５】埋設部材を示す断面図。
【図１６】残留応力を示す断面図（図１５の１６−１６断面図）。
【図１７】模擬血管が損傷した様子を示す断面図。
【図１８】模擬血管が損傷した様子を示す上面図。
【発明を実施するための形態】
【００１７】
図１は、液体噴射装置２０の構成を概略的に示す。液体噴射装置２０は、医療機関において利用される医療機器であり、患部に対して液体を噴射することによって、患部を切除する機能を有する。
【００１８】
液体噴射装置２０は、制御部３０と、アクチュエーター用ケーブル３１と、ポンプ用ケーブル３２、フットスイッチ３５と、吸引装置４０と、吸引チューブ４１と、液体供給装置５０と、ハンドピース１００とを備える。
【００１９】
液体供給装置５０は、給水バッグ５１と、スパイク針５２と、第１〜第５コネクター５３ａ〜５３ｅと、第１〜第４給水チューブ５４ａ〜５４ｄと、ポンプチューブ５５と、閉塞検出機構５６と、フィルター５７とを備える。ハンドピース１００は、ノズルユニット２００と、アクチュエーターユニット３００とを備える。ノズルユニット２００は、噴射管２０５と、吸引管４００とを備える。
【００２０】
給水バッグ５１は、透明な合成樹脂製であり、内部に液体（具体的には生理食塩水）が充填されている。なお、本願では、水以外の液体が充填されていても、給水バッグ５１と呼ぶ。スパイク針５２は、第１コネクター５３ａを介して、第１給水チューブ５４ａに接続されている。給水バッグ５１にスパイク針５２が刺されると、給水バッグ５１に充填された液体が第１給水チューブ５４ａに供給可能な状態になる。
【００２１】
第１給水チューブ５４ａは、第２コネクター５３ｂを介して、ポンプチューブ５５に接続されている。ポンプチューブ５５は、第３コネクター５３ｃを介して、第２給水チューブ５４ｂに接続されている。チューブポンプ６０は、ポンプチューブ５５を挟み込んでいる。チューブポンプ６０は、ポンプチューブ５５内の液体を、第１給水チューブ５４ａ側から、第２給水チューブ５４ｂ側に送り出す。
【００２２】
閉塞検出機構５６は、第２給水チューブ５４ｂ内の圧力を測定することで、第１〜第４給水チューブ５４ａ〜５４ｄ内の閉塞を検出する。
【００２３】
第２給水チューブ５４ｂは、第４コネクター５３ｄを介して、第３給水チューブ５４ｃに接続されている。第３給水チューブ５４ｃにはフィルター５７が接続されている。フィルター５７は、液体に含まれる異物を捕集する。
【００２４】
第３給水チューブ５４ｃは、第５コネクター５３ｅを介して、第４給水チューブ５４ｄに接続されている。第４給水チューブ５４ｄは、ノズルユニット２００に接続されている。第４給水チューブ５４ｄを通じて供給された液体は、アクチュエーターユニット３００の駆動によって、噴射管２０５の先端から間欠的に噴射される。このように液体が間欠的に噴射されることによって、少ない流量で切除能力が確保できる。
【００２５】
噴射管２０５及び吸引管４００は、噴射管２０５を内管、吸引管４００を外管とする二重管を構成する。吸引チューブ４１は、ノズルユニット２００に接続されている。吸引装置４０は、吸引チューブ４１を通じて、吸引管４００内を吸引する。この吸引によって、吸引管４００の先端付近の液体や切除片などが吸引される。
【００２６】
制御部３０は、チューブポンプ６０と、アクチュエーターユニット３００とを制御する。具体的には、制御部３０は、フットスイッチ３５が踏まれている間、アクチュエーター用ケーブル３１と、ポンプ用ケーブル３２とを介して駆動信号を送信する。アクチュエーター用ケーブル３１を介して送信された駆動信号は、アクチュエーターユニット３００に含まれる圧電素子（図示しない）を駆動させる。ポンプ用ケーブル３２を介して送信された駆動信号は、チューブポンプ６０を駆動させる。よって、ユーザーがフットスイッチ３５を踏んでいる間は液体が間欠的に噴射され、ユーザーがフットスイッチ３５を踏んでいない間は液体の噴射が停止する。
【００２７】
以下、模擬臓器について説明する。模擬臓器は、ファントムとも呼ばれ、本実施形態においては、液体噴射装置２０によって一部が切除される人工物である。本実施形態における模擬臓器は、液体噴射装置２０の性能評価や、液体噴射装置２０の操作の練習などを目的とした模擬手術に用いられる。
【００２８】
図２は、模擬臓器６００を示す断面図である。図２が示す断面は、Ｙ−Ｚ平面である。本実施形態では、水平面をＸ−Ｙ平面、鉛直方向（深さ方向）をＺ方向とする。模擬臓器６００は、埋設部材６１０と、模擬組織６２０と、支持部材６３０とを含む。
【００２９】
埋設部材６１０は、内層部材６１２の外側を、模擬血管６１４が取り囲む二重構造になっている。模擬血管６１４の内部に内層部材６１２が配置されているともいう。模擬血管６１４は、生体の血管を模擬した材料で形成されている。模擬血管６１４は、生体の血管（例えばヒトの脳血管）を模擬した人工物であり、模擬手術において損傷を回避すべき部材である。
【００３０】
本実施形態における内層部材６１２は、中空部材である。内層部材６１２の柔軟性は、模擬血管６１４の柔軟性と同程度ある。内層部材６１２の強度は、模擬血管６１４の強度よりも高い。これは、内層部材６１２を、模擬血管６１４よりも損傷しにくいようにするためである。
【００３１】
内層部材６１２の色は、膨張色であり、且つ模擬血管６１４と区別しやすい色が選択されている。本実施形態では、内層部材６１２は黄色または赤色、模擬血管６１４は黒色である。このような色を選択することによって、内層部材６１２を、模擬血管６１４と区別して視認しやすくなる。
【００３２】
模擬組織６２０は、生体における血管の周辺組織（例えば脳組織）を模擬した人工物であり、模擬血管６１４の周囲を埋めている。本実施形態における模擬組織６２０は、白色である。模擬組織６２０を白色で形成しているのは、内層部材６１２及び模擬血管６１４と区別がつきやすいからである。支持部材６３０は、埋設部材６１０と模擬組織６２０とを支持する金属製の容器である。
【００３３】
噴射管２０５から間欠的に噴射される液体は、模擬組織６２０を徐々に切除する。切除が進行すると、模擬血管６１４が露出する。露出した模擬血管６１４は、液体の噴射に曝露される場合がある。模擬血管６１４は、自身の強度を上回る条件での噴射に曝露された場合、図３に示すように損傷する。ここでいう損傷とは、壁の一部に貫通穴が形成されることである。
【００３４】
図４は、模擬血管６１４の一部が損傷した様子を上面から示す。模擬血管６１４が損傷した部位においては、内層部材６１２が露出する。ユーザーは、内層部材６１２を視認することによって、模擬血管６１４が損傷したことを把握できる。先述したように模擬血管６１４と内層部材６１２との色が異なることによって、露出した内層部材６１２は、模擬血管６１４と区別がつきやすく、視認しやすい。
【００３５】
図５は、模擬臓器６００の作製方法を示すフローチャートである。初めに、内層部材６１２を作製する（Ｓ８０５）。先述したように、内層部材６１２は、模擬血管６１４よりも高い強度を有するように作製される。以下、内層部材６１２の強度について説明する。
【００３６】
図６は、材料の強度試験について説明するための図である。シート６５０は、内層部材６１２の材料をシート状に形成した試験サンプルである。シート６５０は、台（図示しない）に載せられており、周縁部で台に固定されている。シート６５０を挟んでピン７００の反対側において、台に穴が開いている。強度試験は、シート６５０の破壊が起こるまで、シート６５０をピン７００によって押し込み、変形させる。ピン７００の押し込みには、ロードセル（図示しない）を用い、押し込み力をリアルタイムで計測する。
【００３７】
図７は、上記の強度試験によって得られる実験データを例示する。縦軸は押し込み力、横軸は時間を表す。ピン７００の押し込みは、１ｍｍ／ｓｅｃで実施する。このため、図７に示すように、押し込み力は時間と共にほぼ線形に増大する。
【００３８】
押し込み力は、このように増大していくと、やがて急減する。押し込み力の急減は、シート６５０の破壊によって発生する。押し込み力の急減によって、押し込み力の最大値を決定できる。材料強度は、押し込み力の最大値（Ｎ）を、ピン７００の先端７１０の面積（本実施形態では０．５ｍｍ2）で除算することによって得られる応力値（ＭＰａ）として取得する。
【００３９】
上記の試験によって、厚みが０．５ｍｍで、強度が１ＭＰａ以上になるように、シート６５０の材料を調製する。シート６５０の材料として例示した油性ウレタンゲル又はゴム素材は、作製条件を変化させることで、強度を変化させることができる。このように調製した材料を用い、内層部材６１２を作製する。
【００４０】
内層部材６１２は、中空形状であるので、次の製造方法を採用する。その方法とは、極細線の外周に硬化前の材料を塗布し、材料の硬化後に極細線を引き抜くという手法である。極細線の外径は、内層部材６１２の内径に合わせる。極細線は、金属製であり、例えばピアノ線などで形成する。内層部材６１２の壁厚は、シート６５０の厚さと同程度にする。こうすれば、内層部材６１２の強度は、上記の強度試験で測定された強度と同程度になると推測される。
【００４１】
次に、埋設部材６１０を作製する（Ｓ８１０）。つまり、内層部材６１２の周囲に、模擬血管６１４を形成する。具体的には、内層部材６１２の外周に、硬化前の模擬血管６１４の材料を刷毛によって塗布し、硬化させる。これによって、埋設部材６１０が形成される。
【００４２】
本実施形態では、模擬血管６１４の材料として、ＰＶＡ（ポリビニルアルコール）を採用する。ＰＶＡは、周知のように、作製条件を変化させることで、強度を変化させることができる。この特徴を利用して、模擬血管６１４は、再現したい血管の強度に近い強度を有するように作製する。強度の調整は、先述した強度試験を利用して実行する。
【００４３】
次に、埋設部材６１０を支持部材６３０に固定する（Ｓ８２０）。図８は、図２の８−８断面（Ｚ−Ｘ平面）を示し、Ｓ８２０が実行された様子を示す。
【００４４】
図８に示すように、支持部材６３０には、溝６３３が設けられている。溝６３３は、支持部材６３０の両側に設けられている。埋設部材６１０は、Ｓ８２０において、溝６３３にはめ込まれることによって、支持部材６３０に固定される。
【００４５】
次に、ウレタンの主剤と硬化剤とを混ぜて攪拌した混合物を、支持部材６３０に流し込む（Ｓ８３０）。この後、ウレタンがエラストマーゲル状のウレタンゲルに変化する（Ｓ８４０）。これによって、模擬組織６２０が形成され、模擬臓器６００が完成する。
【００４６】
以下、変形例を説明する。図９は、埋設部材６１０ａを示す断面図である。埋設部材６１０ａは、内層部材６１２ａと、模擬血管６１４ａと、複数の蛍光粒子６１５とを含む。図９に示すように、蛍光粒子６１５は、内層部材６１２ａと模擬血管６１４ａとの間に挟み込まれている。蛍光粒子６１５が模擬血管６１４ａの内部に配置されているともいう。
【００４７】
図１０は、模擬血管６１４ａが損傷した様子を示す断面図である。模擬血管６１４ａが損傷すると、蛍光粒子６１５が損傷部位から放出される。蛍光粒子６１５は、可視光を励起光として蛍光を発する。ユーザーは、放出された蛍光粒子６１５を視認することによって、損傷が発生したこと、及び損傷部位を把握できる。
【００４８】
蛍光粒子６１５による蛍光色は、目立つように、赤色が採用される。蛍光粒子６１５の直径は、０．０２５μｍ〜３０μｍである。蛍光粒子６１５の直径は、均一でもよいし、不均一でもよい。模擬血管６１４ａは、蛍光粒子６１５が目立つように、黒色で形成される。内層部材６１２ａは、目立つ必要はないので、白色で形成される。
【００４９】
埋設部材６１０ａの作製方法について説明する。Ｓ８０５（図５）の後、作製した内層部材６１２ａの外側に、蛍光粒子６１５を付着させる。この付着のための付着力は、内層部材６１２ａに備わっている粘着性を利用する。粘着性では付着力が不足する場合は、付着力を補うために、粘性を有する液体を内層部材６１２ａの外側に塗布してもよい。
【００５０】
この後、Ｓ８１０として、蛍光粒子６１５の外側に模擬血管６１４ａを形成することによって、埋設部材６１０ａが作製される。
【００５１】
別の変形例を説明する。図１１は、埋設部材６１０ｂを示す断面図である。埋設部材６１０ｂは、内層部材６１２ｂと、模擬血管６１４ｂと、呈色反応層６１６とを含む。呈色反応層６１６は、銀イオンを含んでおり、図１１に示すように内層部材６１２ｂと模擬血管６１４ｂとの間に挟み込まれている。
【００５２】
図１２は、模擬血管６１４が損傷した様子を示す断面図である。模擬血管６１４が損傷すると、呈色反応層６１６が損傷部位において露出する。呈色反応層６１６は、露出した部位において、生理食塩水に曝される。呈色反応層６１６に含まれる銀イオンと、生理食塩水に含まれる塩化物イオンとが反応すると、塩化銀が生成する。生成した塩化銀は、図１２において、呈色反応部位６１６ａとして示されている。
【００５３】
塩化銀は、白色であるので、黒色の模擬血管６１４ｂと区別しやすい。よって、ユーザーは、よって、白色に変色した呈色反応部位６１６ａによって、損傷が発生したこと、及び損傷部位を把握しやすくなる。
【００５４】
更に別の変形例を説明する。図１３は、内層部材６１２ｃと、模擬血管６１４ｃとを示す断面図である。内層部材６１２ｃを、模擬血管６１４ｃの中空部に挿入することによって、埋設部材６１０ｃ（図１５参照）が作製される。図１３に示すように、内層部材６１２ｃの外径は、模擬血管６１４ｃの内径よりも太い。
【００５５】
図１４は、内層部材６１２ｃを、模擬血管６１４ｃの中空部に挿入する様子を示す断面図である。内層部材６１２ｃの外径が模擬血管６１４ｃの内径よりも太いので、上記挿入の際、図１４に示すように、内層部材６１２ｃの外径および内径は縮み、模擬血管６１４ｃの外径および内径は膨らむ。この結果、内層部材６１２ｃと模擬血管６１４ｃとに残留応力が発生する（図１６参照）。挿入が完了すると、図１５に示すように、埋設部材６１０ｃが作製される。
【００５６】
上記の通り、模擬血管６１４ｃは、内層部材６１２ｃの挿入前に、別途、作製される。模擬血管６１４ｃの作製は、実施形態で説明した内層部材６１２の作製（Ｓ８０５）と同様な手法によって実施する。
【００５７】
図１６は、上記の残留応力を説明するための図であり、図１５の１６−１６断面を示す。図１６に示すように、内層部材６１２ｃには円周方向について圧縮の残留応力が発生し、模擬血管６１４ｃには円周方向について引っ張りの残留応力が発生する。
【００５８】
図１７および図１８は、模擬血管６１４ｃが損傷した様子を示す。図１７は断面図を、図１８は上面図を示す。模擬血管６１４ｃは、損傷が発生すると、上記の残留応力によって、損傷部位が自然に拡大する。この結果、ユーザーは、損傷が発生したこと、及び損傷部位を把握しやすくなる。
【００５９】
本発明は、本明細書の実施形態や実施例、変形例に限られるものではなく、その趣旨を逸脱しない範囲において種々の構成で実現できる。例えば、発明の概要の欄に記載した各形態中の技術的特徴に対応する実施形態、実施例、変形例中の技術的特徴は、先述の課題の一部又は全部を解決するために、或いは、先述の効果の一部又は全部を達成するために、適宜、差し替えや、組み合わせを行うことができる。その技術的特徴が本明細書中に必須なものとして説明されていなければ、適宜、削除できる。例えば、以下のものが例示される。
【００６０】
模擬臓器は、間欠的に噴射される液体以外によって、切除されてもよい。例えば、連続的に噴射される液体によって切除されてもよいし、超音波によって切除能力が付与された液体によって切除されてもよい。或いは、金属製のメスによって切除されてもよい。
【００６１】
模擬血管の本数は、２本以上であれば、いくつでもよい。
模擬血管の材質は、上記の例示に限られない。例えば、ＰＶＡ以外の合成樹脂（例えばウレタン）でもよいし、天然樹脂でもよい。
模擬組織の材質は、上記の例示に限られない。例えば、ウレタン以外のゴム系の材料でもよいし、ＰＶＡを用いてもよい。
【００６２】
模擬血管を、噴射堆積（インクジェット方式などによる３Ｄプリンティング）を用いて作製してもよい。
模擬組織を、３Ｄプリンティングを用いて作製してもよい。
模擬血管および模擬組織をまとめて、３Ｄプリンティングを用いて作製してもよい。
【００６３】
模擬血管は、３Ｄプリンティングを用いて、模擬血管となる材料を内層部材に堆積させることで作製してもよい。
模擬血管は、模擬血管となる材料を、内層部材にスプレー等で吹き付けることで作製してもよい。
模擬血管は、模擬血管となる材料を槽に満たしておき、内層部材を浸した後に引き上げることで作製してもよい。
【００６４】
埋設部材がどのような形状で埋設されるかは、上記に例示したものに限られない。例えば、Ｓ字のように曲がっていてもよいし、水平面内（Ｘ−Ｙ平面内）で曲がっていてもよい。
【００６５】
内層部材や模擬血管は、一色でなくてもよく、部位によって色が異なってもよい。例えば、内層部材の端の付近は、模擬血管と同じ色で形成し、模擬血管の損傷が発生しやすい部位の付近では、模擬血管と異なる色で形成してもよい。
【００６６】
内層部材は、中実部材として形成されてもよい。
呈色部材としての内層部材、蛍光粒子、呈色反応部位の色は、模擬血管の色と異なればどのような色でもよい。例えば、黒色や青色等でもよい。また、蛍光色でもよいし、蛍光色でなくてもよい。
【００６７】
蛍光粒子の形状は、球体でなくてもよい。例えば、角張った形状の粒でもよい。
蛍光粒子を用いる場合、内層部材を用いなくてもよい。この場合、蛍光粒子は、模擬血管の中に充填されてもよい。
蛍光粒子の代わりに、蛍光を発しない粒子を用いてもよい。
【００６８】
呈色反応層は、塩化物イオン以外と反応することによって呈色してもよい。例えば、雰囲気中の酸素と反応してもよいし、噴射される液体に含まれる物質と反応してもよい。例えば、呈色反応層にリトマスを含有させ、噴射する液体を酸性または塩基性に調製してもよい。
【００６９】
内層部材６１２，６１２ｃの外周面の全体が模擬血管６１４，６１４ｃに取り囲まれた構成としたが、これに限定されるものではない。模擬血管６１４，６１４ｃが内層部材６１２，６１２ｃの外周面の一部を覆う構成としてもよい。内層部材６１２の外周面の一部とは、例えば、外周面の周方向についての一部のことである。模擬手術において、模擬血管６１４，６１４ｃが損傷していない場合にユーザーが内層部材６１２，６１２ｃを視認しない程度に模擬血管６１４，６１４ｃによって内層部材６１２，６１２ｃが覆われていればよい。
【００７０】
いいかえると、内層部材６１２，６１２ｃが、模擬血管６１４，６１４ｃの内部に配置された部分（非露出部）と、模擬血管６１４，６１４ｃの外部に露出した部分（露出部）とを有していてもよい。またそのような露出部が形成されるように、模擬血管６１４，６１４ｃの一部に穴や切欠きが形成されていたり、模擬血管６１４，６１４ｃから内層部材６１４，６１４ｃがはみ出ていたりする構成としてもよい。
【００７１】
蛍光粒子６１５又は呈色反応層６１６を使用する場合、内層部材６１２ａと模擬血管６１４ａとの全周に亘って、内層部材６１２ａと模擬血管６１４ａとの間に蛍光粒子６１５又は呈色反応層６１６を配置する構成としたが、これに限定されるものではない。内層部材６１２ａの周方向の一部について、蛍光粒子６１５又は呈色反応層６１６を配置してもよい。模擬手術において、模擬血管６１４ａが損傷しにくい部位には蛍光粒子６１５を配置しなくてもよいし、模擬血管６１４ｂが損傷しにくい部位には呈色反応層６１６を配置しなくてもよい。損傷しにくい部位とは、例えば、模擬血管６１４ａ，６１４ｂの深い側の半周分である。
【００７２】
実施形態においてはアクチュエーターとして圧電素子を用いる構成を採用したが、光メーザーを用いて液体を噴射する構成や、ポンプ等により液体を加圧し、液体を噴射する構成を採用してもよい。光メーザーを用いて液体を噴射する構成とは、光メーザーを液体に照射して液体中に気泡を発生させ、この気泡の発生によって引き起こされる液体の圧力上昇を利用する構成である。
【符号の説明】
【００７３】
２０…液体噴射装置
３０…制御部
３１…アクチュエーター用ケーブル
３２…ポンプ用ケーブル
３５…フットスイッチ
４０…吸引装置
４１…吸引チューブ
５０…液体供給装置
５１…給水バッグ
５２…スパイク針
５３ａ…第１コネクター
５３ｂ…第２コネクター
５３ｃ…第３コネクター
５３ｄ…第４コネクター
５３ｅ…第５コネクター
５４ａ…第１給水チューブ
５４ｂ…第２給水チューブ
５４ｃ…第３給水チューブ
５４ｄ…第４給水チューブ
５５…ポンプチューブ
５６…閉塞検出機構
５７…フィルター
６０…チューブポンプ
１００…ハンドピース
２００…ノズルユニット
２０５…噴射管
３００…アクチュエーターユニット
４００…吸引管
６００…模擬臓器
６１０…埋設部材
６１０ａ…埋設部材
６１０ｂ…埋設部材
６１０ｃ…埋設部材
６１２…内層部材
６１２ａ…内層部材
６１２ｂ…内層部材
６１２ｃ…内層部材
６１４…模擬血管
６１４ａ…模擬血管
６１４ｂ…模擬血管
６１４ｃ…模擬血管
６１５…蛍光粒子
６１６…呈色反応層
６１６ａ…呈色反応部位
６２０…模擬組織
６３０…支持部材
６３３…溝
６５０…シート
７００…ピン
７１０…先端
【図１】
2016177237.tif 000003
【図２】
2016177237.tif 000004
【図３】
2016177237.tif 000005
【図４】
2016177237.tif 000006
【図５】
2016177237.tif 000007
【図６】
2016177237.tif 000008
【図７】
2016177237.tif 000009
【図８】
2016177237.tif 000010
【図９】
2016177237.tif 000011
【図１０】
2016177237.tif 000012
【図１１】
2016177237.tif 000013
【図１２】
2016177237.tif 000014
【図１３】
2016177237.tif 000015
【図１４】
2016177237.tif 000016
【図１５】
2016177237.tif 000017
【図１６】
2016177237.tif 000018
【図１７】
2016177237.tif 000019
【図１８】
2016177237.tif 000020